(57)【要約】      （修正有）【課題】バラエティーに富んだ広告や各種インフォメーション等の表示が可能な広告付被服を提供する。【解決手段】広告が付された上半身に着る広告付被服１０において、胴回り部１７が該胴回り部の上の部分である本体部１０から着脱自在に設けられ、胴回り部に広告や各種インフォメーションが施された第１の広告部１８を有し、本体部に広告や各種インフォメーションが施された第２の広告部１３を有し、また本体部と胴回り部とが、ファスナ１５等の着脱容易な連結部材で連結され、さらに第１の広告部が胴回り部から着脱自在であったり、第２の広告部が本体部から着脱自在であったりすることを特徴とする。【選択図】図１
0003118631.tif 000002
【実用新案登録請求の範囲】
【請求項１】
広告やインフォメーション等が付された上半身に着る広告付被服において、
胴回り部が該胴回り部の上の部分である本体部から着脱自在に設けられ、
該胴回り部に広告や各種インフォメーションが施された第１の広告部を有し、該本体部に広告や各種インフォメーションが施された第２の広告部を有することを特徴とする広告付被服。
【請求項２】
前記本体部と前記胴回り部とが、着脱自在の連結部材で連結されていることを特徴とする請求項１記載の広告付被服。
【請求項３】
前記第１の広告部が、前記胴回り部から着脱自在であることを特徴とする請求項１又は請求項２記載の広告付被服。
【請求項４】
前記第２の広告部が、前記本体部から着脱自在であることを特徴とする請求項１又は請求項２記載の広告付被服。
【考案の詳細な説明】
【技術分野】
【０００１】
本考案は、広告や各種インフォメーション等が付された広告付被服に関する。
【背景技術】
【０００２】
従来から、Ｔシャツやジャンパーに店舗や商品の広告を付した広告付被服がある。従来の広告付被服は、１着の被服に布の表面にプリントや刺繍で広告を施している。
尚、この先行技術は、文献公知に係るものでないため、記載すべき先行技術文献情報はない。
【考案の開示】
【考案が解決しようとする課題】
【０００３】
しかしながら、従来の広告付被服では、広告の内容が固定され広告内容を変更することができない。
【０００４】
本考案は、このような事情に鑑みてなされたもので、バラエティーに富んだ広告や各種インフォメーション等の表示が可能な広告付被服を提供することにある。
【課題を解決するための手段】
【０００５】
請求項１記載の広告付被服は、胴回り部が該胴回り部の上の部分である本体部から着脱自在に設けられ、胴回り部に広告や各種インフォメーションが施された第１の広告部を有し、本体部に広告や各種インフォメーションが施された第２の広告部を有することを特徴とする。
【０００６】
請求項２記載の広告付被服は、本体部と胴回り部とが、着脱自在の連結部材で連結されていることを特徴とする。
【０００７】
請求項３記載の広告付被服は、第１の広告部が、胴回り部から着脱自在であることを特徴とする。
【０００８】
請求項４記載の広告付被服は、第２の広告部が、本体部から着脱自在であることを特徴とする。
【考案の効果】
【０００９】
請求項１の考案によれば、第１の広告部を有する胴回り部が、第２の広告部を有する本体部から着脱自在に設けられていることから、それぞれ別の広告や各種インフォメーション等が付された胴回り部及び本体部を任意に組み合わせてバラエティーに富んだ広告や各種インフォメーション等の表示が可能である。
【００１０】
請求項２の考案によれば、本体部と胴回り部とが、着脱自在の連結部材で連結されていることから、本体部と胴回り部とを容易に着脱することができる。
【００１１】
請求項３及び請求項４の考案によれば、それぞれの広告部が本体部又は胴回り部から着脱自在であることから、広告や各種インフォメーション等の内容を容易に交換できバラエティーに富んだ広告や各種インフォメーション等の表示が可能である。
【考案を実施するための最良の形態】
【００１２】
以下、本考案の形態について図面を参照しながら具体的に説明する。本考案の形態における広告付被服は、広告や各種インフォメーション等が付された服である。図１は、本考案に係る広告付被服の一例を示す正面図である。図２は、同広告付被服の背面図である。図３は、同広告付被服の右側面図である。
【００１３】
図において、広告付被服１は、チョッキ形態のビブス等の被服であり、新聞や牛乳の他各種デリバリーの配達員がユニフォームとして着用可能なものである。広告付被服１は、胴回りを形成する円筒状の胴回り部１７と、胴回り部１７の上部で被服の本体をなす本体部１０とで構成されている。本体部１０と胴回り部１７との間にはファスナ１５が設けられ、本体部１０と胴回り部１７とはファスナ１５により着脱自在に連結されている。尚、ファスナ１５は着脱を自在にするための連結部材で、ボタン、フック、ベルベットファスナ等、本体部１０と胴回り部１７とを着脱自在に連結させるものであればよい。
【００１４】
本体部１０の肩部分及び脇部分には、布状の反射材１１，１２が縫いつけられている。また、本体部１０の正面１０ａ及び背面１０ｂには、会社や商品の広告や各種インフォメーション等を表示する広告部１３，１４が設けられている。広告部１３，１４は、本体部１０に直接プリントされている場合の他、刺繍が施されたりステッカーやシールが貼付されたり、その形態によって限られるものではない。例えば、広告や各種インフォメーション等の内容を着脱可能な形状とすることも可能である。
【００１５】
胴回り部１７の正面１７ａ及び背面１７ｂには、会社（図では新聞店の名称）や商品の広告を表示する広告部１８，１９が設けられている。広告部１８，１９は、胴回り部１７に直接プリントされている場合の他、刺繍が施されたりステッカーやシールが貼付されたり、その形態によって限られるものではない。例えば、広告内容を着脱可能な形状とすることも可能である。尚、広告部１３，１４，１８，１９の夜間での視認性を向上させるために、蛍光性や蓄光性のある表示を施してもよい。
【００１６】
次に本実施例の広告付被服１の使用方法を説明する。例えば、図に示すように胴回り部１７の広告部１８，１９にあらかじめ新聞店の広告を施し、本体部１０の広告部１３，１４には胴回り部１７の広告部１８，１９に施した新聞店とは異なる商店や商品の広告や各種インフォメーション等を施す。そして、本体部１０と胴回り部１７とをファスナ１５で連結した状態で、新聞配達員がユニフォームとして着用し、新聞の配達を行う。
【００１７】
そして、例えば一定期間、同一の広告を施した広告付被服１を着用した後に他の広告や各種インフォメーション等を施す必要が生じた場合には、まず、本体部１０と胴回り部１７とを分離させる。次に、他の広告が広告部１３，１４に施された本体部１０に今まで使っていた胴回り部１７を連結させる。このことにより、新聞店の広告をそのままに新たな広告や各種インフォメーション等を表示させることが可能となる。また、本体部１０をそのままに、他の広告や各種インフォメーション等が広告部１８，１９に施された胴回り部１７を本体部１０と連結することも可能である。
【００１８】
このように、本実施例の広告付被服１によれば、第１の広告部である広告部１８，１９を有する胴回り部１７が、第２の広告部である広告部１３，１４を有する本体部１０から着脱自在に設けられていることから、それぞれ別の広告や各種インフォメーション等が付された胴回り部１７及び本体部１０を任意に組み合わせてバラエティーに富んだ広告や各種インフォメーション等の表示が可能である。また、本体部１０と胴回り部１７とが、着脱容易な連結部材であるファスナ１５で連結されていることから、本体部１０と胴回り部１７とを容易に着脱することができる。
【００１９】
また、それぞれの広告部１３，１４，１８，１９が本体部１０又は胴回り部１７から着脱自在であることから、広告や各種インフォメーション等の内容を容易に交換できバラエティーに富んだ広告や各種インフォメーション等の表示が可能である。
【００２０】
尚、本発明に係る広告付被服１は、図１〜図３に示すビブスに限られるものではなく、例えば図４に示すジャンパーのような広告付被服２であっても構わない。図４に示すように、広告付被服２はジャンパーであり、新聞や牛乳の他各種デリバリーの配達員がユニフォームとして着用可能なものである。広告付被服２は、胴回りを形成する円筒状の胴回り部２７と、胴回り部２７の上部で被服の本体をなす本体部２０とで構成されている。本体部２０と胴回り部２７との間にはファスナ２５が設けられ、本体部２０と胴回り部２７とは着脱自在に連結されている。
【００２１】
本体部２０には、会社や商品の広告や各種インフォメーション等を表示する広告部２３が設けられている。広告部２３は、本体部２０に直接プリントされている場合の他、刺繍が施されたりステッカーやシールが貼付されたり、その形態によって限られるものではない。例えば、広告や各種インフォメーション等の内容を着脱可能な形状とすることも可能である。胴回り部２７には、会社（図では新聞店の名称）や商品の広告や各種インフォメーション等を表示する広告部２８が設けられている。広告部２８は、胴回り部２７に直接プリントされている場合の他、刺繍が施されたりステッカーやシールが貼付されたり、その形態によって限られるものではない。例えば、広告や各種インフォメーション等の内容を着脱可能な形状とすることも可能である。
【００２２】
このように、本体部１０，２０と胴回り部１７，２７とにそれぞれ広告部１３，１４，１８，１９，２３，２８が設けられ、本体部１０，２０と胴回り部１７，２７とが着脱自在の被服であればよい。
【産業上の利用可能性】
【００２３】
以上のように、本考案の広告付被服は、バラエティーに富んだ広告や各種インフォメーション等の表示が可能なことから、広告を受注し他人の広告を行うことを目的とする広告媒体に適している。
【図面の簡単な説明】
【００２４】
【図１】本考案に係る広告付被服の一例を示す正面図である。
【図２】同広告付被服の背面図である。
【図３】同広告付被服の右側面図である。
【図４】本考案に係る広告付被服の他の例を示す正面図である。
【符号の説明】
【００２５】
１，２・・・・・広告付被服
１０・・・・・・本体部
１１，１２・・・反射材
１３，１４・・・広告部
１５・・・・・・ファスナ
１７・・・・・・胴回り部
１８・・・・・・広告部
２０・・・・・・本体部
２３・・・・・・広告部
２５・・・・・・ファスナ
２７・・・・・・胴回り部
２８・・・・・・広告部
【図１】
0003118631.tif 000003
【図２】
0003118631.tif 000004
【図３】
0003118631.tif 000005
【図４】
0003118631.tif 000006